(57)【要約】【課題】ＡＶアンプやレコーダなどの外部機器と接続された表示装置において、ジャンル等のコンテンツ情報と各機器の動作状態に基づいて、バックライトや外部機器への電力供給を制限または停止可能とする。【解決手段】テレビ装置３０は、レコーダ１０，ＡＶアンプ２０とＨＤＭＩケーブル４０を介して接続される。テレビ装置３０は、ジャンル等のコンテンツ情報を取得するコンテンツ情報取得手段３０６ａと、テレビ装置３０と外部機器の動作状態を検出する動作状態検出手段３０６ｂと、コンテンツ情報と各機器の動作状態に基づいてテレビ装置３０と外部機器の動作状態を制御する動作状態制御手段３０６ｃとを備える。例えば、動作状態制御手段３０６ｃは、当該コンテンツが音声のみあるいは音声主体のコンテンツであると判定した場合、バックライト３１６ｂへの電力供給を制限または停止するように制御する。【選択図】図４
2008145679.tif 000002
【特許請求の範囲】
【請求項１】
外部機器と接続する接続手段を備えた表示装置であって、
コンテンツに関するコンテンツ情報を取得するコンテンツ情報取得手段と、前記表示装置と前記外部機器の動作状態を検出する動作状態検出手段と、前記コンテンツ情報取得手段により取得されるコンテンツ情報と前記動作状態検出手段による検出結果とに基づいて前記表示装置及び／又は前記外部機器の動作状態を制御する動作状態制御手段とを備えることを特徴とする表示装置。
【請求項２】
請求項１に記載の表示装置において、前記動作状態制御手段は、前記コンテンツ情報取得手段により取得されたコンテンツ情報に基づいて、当該コンテンツが音声のみのコンテンツあるいは音声主体のコンテンツであると判定した場合、前記表示装置が備えるバックライトへの電力供給を制限あるいは停止するように制御することを特徴とする表示装置。
【請求項３】
請求項２に記載の表示装置において、前記動作状態制御手段は、当該コンテンツが音声のみのコンテンツあるいは音声主体のコンテンツであるかを、前記コンテンツ情報に含まれるジャンルに基づいて判定することを特徴とする表示装置。
【請求項４】
請求項１に記載の表示装置において、ラジオ放送を受信するラジオチューナを備え、
前記動作状態制御手段は、前記ラジオチューナ使用時に、前記表示装置が備えるバックライトへの電力供給を制限あるいは停止するように制御することを特徴とする表示装置。
【請求項５】
請求項１に記載の表示装置において、コンテンツに含まれる映像を表示するかどうか設定するための映像表示設定手段を備え、
前記動作状態制御手段は、前記映像表示設定手段により映像が非表示に設定された場合、前記表示装置が備えるバックライトへの電力供給を制限あるいは停止するように制御することを特徴とする表示装置。
【請求項６】
請求項２乃至５のいずれか１項に記載の表示装置において、前記動作状態制御手段は、前記表示装置が備える液晶モジュールへの電力供給を制限あるいは停止するように制御することを特徴とする表示装置。
【請求項７】
請求項２乃至６のいずれか１項に記載の表示装置において、前記動作状態制御手段は、前記外部機器の電源がオンされ且つ該外部機器が動作していないと判定した場合、前記外部機器への電力供給が制限あるいは停止されるように制御することを特徴とする表示装置。
【請求項８】
請求項７に記載の表示装置において、前記外部機器の電源をオフしてもよいか確認するためのメッセージをＯＳＤ表示するＯＳＤ処理手段を備え、
前記動作状態制御手段は、前記ＯＳＤ処理手段により電源オフの確認があった場合、前記外部機器への電力供給が制限あるいは停止されるように制御することを特徴とする表示装置。
【請求項９】
請求項１乃至８のいずれか１項に記載の表示装置において、前記外部機器は、映像・音声信号を再生する再生装置、映像・音声信号を録画する録画装置、１以上のスピーカと接続されたＡＶアンプのうちの１つ以上であることを特徴とする表示装置。
【請求項１０】
請求項１乃至９のいずれか１項に記載の表示装置において、前記接続手段は、ＨＤＭＩ規格に準じた接続を行うためのＨＤＭＩ端子を備え、
前記動作状態検出手段は、前記ＨＤＭＩ端子を介して、前記外部機器の動作状態を検出するためのＣＥＣコマンドを前記外部機器へ送信し、
前記動作状態制御手段は、前記ＨＤＭＩ端子を介して、前記外部機器への電力供給を制限あるいは停止するためのＣＥＣコマンドを前記外部機器へ送信することを特徴とする表示装置。
【請求項１１】
請求項１乃至１０のいずれか１項に記載の表示装置と、該表示装置のＨＤＭＩ端子に直接にまたは他の外部機器のＨＤＭＩ端子を介して間接に接続される１以上の外部機器とを備えたＡＶシステムであって、
前記外部機器は、前記表示装置からの所定のＣＥＣコマンドにより、前記外部機器への電力供給が制限あるいは停止されるように制御されることを特徴とするＡＶシステム。
【請求項１２】
映像信号を表示出力する表示装置と、コンテンツを録画・再生可能な録画装置とを備え、前記表示装置と前記録画装置がＨＤＭＩ接続されたＡＶシステムであって、
前記録画装置は、コンテンツに関するコンテンツ情報を取得するコンテンツ情報取得手段と、前記表示装置と前記録画装置の動作状態を検出する動作状態検出手段と、前記コンテンツ情報取得手段により取得されるコンテンツ情報と前記動作状態検出手段による検出結果とに基づいて前記表示装置及び／又は前記録画装置の動作状態を制御する動作状態制御手段とを備え、
前記動作状態制御手段は、前記表示装置の動作状態を制御するためのＣＥＣコマンドを送信することを特徴とするＡＶシステム。
【発明の詳細な説明】
【技術分野】
【０００１】
本発明は、表示装置及びＡＶシステム、より詳細には、ＨＤＭＩ（High Definition Multimedia Interface）等のデジタルインタフェースを備えた表示装置及び該装置を備えたＡＶシステムに関する。
【背景技術】
【０００２】
近年のテレビジョン放送受信機のデジタル化に伴い、視聴できるチャンネル数が増え、デジタルラジオ放送やデータ放送も受信できるようになってきた。また、テレビの大画面化が進むとともにテレビと外部機器との接続方法も多様化し、接続機器相互の連携を図ることも可能となった。
【０００３】
テレビやレコーダなどのＡＶ機器間をデジタル接続するためのデジタルインタフェースの一つとして、高速シリアルバスであるＩＥＥＥ１３９４が知られている。このＩＥＥＥ１３９４で接続された録画装置は、スタンバイ（待機）状態においても、ＩＥＥＥ１３９４規格に基づくＡＶＣコマンドによる電源オン要求に対応できるように、ＩＥＥＥ１３９４インタフェースの関連回路に通電している。ＩＥＥＥ１３９４の場合、広帯域伝送路が使用され、ＡＶＣコマンドによる制御を実現するための通信プロトコルが複雑であることから、ほとんどの場合メインＣＰＵへの通電も必要となり、待機時消費電力は２０Ｗ程度となる。
【０００４】
また、映像伝送用のデジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
【０００５】
従来は機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢやＤＶＤプレーヤ等の出力装置にコントロール信号を中継することによって、一つのリモコンでホームシアタなどのＡＶシステム全体を操作することも可能となる。
【０００６】
このＨＤＭＩが備えるＣＥＣ(Consumer Electronics Control)機能に対応した録画装置において、スタンバイ状態でもＣＥＣの電源オン要求に対応できるようにするために、前述のＩＥＥＥ１３９４と同様、ＣＥＣの関連回路に通電しておく必要がある。しかし、ＣＥＣの場合、狭帯域伝送路が使用され、電気的制御方法も通信プロトコルも簡易な構成であるため、待機時の消費電力が１Ｗ程度で済み、前述のＩＥＥＥ１３９４の２０Ｗ程度と比較して消費電力が大幅に小さくなる。
【０００７】
このようなデジタルインタフェースを備えたＡＶ機器においては、テレビの大画面化に伴い、消費電力を低減することが重要な課題となってくる。例えば、前述したデジタルラジオ放送を受信している場合には、映像表示されないにもかかわらず、バックライトが点灯されているため、余計な消費電力がかかっていた。
【０００８】
これに対して、特許文献１には、ラジオ受信時の選局、音量、モード等を液晶テレビ等の画像表示装置上に表示し、表示の必要がない場合には、液晶テレビのバックライトを非点灯にする液晶テレビジョン受信装置が開示されている。
【特許文献１】特開平１−３０３７７号公報
【発明の開示】
【発明が解決しようとする課題】
【０００９】
しかしながら、テレビと外部の接続機器間においては、相互の接続状態を適切に認識できなかったので、省エネ設定や接続機器間の連携動作の設定は、接続機器毎に個別に設定切り換えする必要があった。
また、液晶テレビやレコーダなどをＨＤＭＩ接続してＡＶシステムとして使用するケースが増えており、この場合、集中スイッチによって電源を投入するケースも増えている。しかしながら、使用状況によっては使用されないコンポーネンツや接続機器も多数存在し、無駄な電力を消費することに繋がっている。
【００１０】
上記の特許文献１に記載の発明によれば、液晶テレビ本体内蔵のラジオ機能に応じてバックライトを非点灯にすることはできても、例えば、映像・音声を含む番組や音声のみの番組などのように外部入力信号の種類に応じて、バックライトの点灯／非点灯を制御することはできなかった。従って、外部入力が音声信号のみの場合であっても、液晶テレビはバックライトを非点灯にすることはできず、映像表示しないにも係らず、バックライトが点灯したままとなり無駄な電力を消費していた。
【００１１】
本発明は、上述のごとき実情に鑑みてなされたものであり、ＡＶアンプやレコーダなどの外部機器と接続され、ジャンルなどのコンテンツ情報と各機器の動作状態に基づいて、バックライトや外部機器などへの電力供給を制限あるいは停止するように制御可能な表示装置及び該装置を備えたＡＶシステムを提供すること、を目的とする。
より具体的には、液晶テレビと、ＡＶアンプやレコーダなどの外部機器をＨＤＭＩケーブルと光音声ケーブルを介して接続し、ジャンルなどのコンテンツ情報から音声のみあるいは音声主体のコンテンツを判定し、その判定結果と各機器の動作状態に基づいて、液晶テレビが備えるバックライトや、外部機器への電力供給を個別に制御することにより、ＡＶシステムにおける動作電力の大半を占めるこれらの部分で消費電力の低減を図ること、を目的とする。
【課題を解決するための手段】
【００１２】
上記課題を解決するために、本発明の第１の技術手段は、外部機器と接続する接続手段を備えた表示装置であって、コンテンツに関するコンテンツ情報を取得するコンテンツ情報取得手段と、表示装置と外部機器の動作状態を検出する動作状態検出手段と、コンテンツ情報取得手段により取得されるコンテンツ情報と動作状態検出手段による検出結果とに基づいて表示装置及び／又は外部機器の動作状態を制御する動作状態制御手段とを備えることを特徴としたものである。
【００１３】
第２の技術手段は、第１の技術手段において、動作状態制御手段は、コンテンツ情報取得手段により取得されたコンテンツ情報に基づいて、当該コンテンツが音声のみのコンテンツあるいは音声主体のコンテンツであると判定した場合、表示装置が備えるバックライトへの電力供給を制限あるいは停止するように制御することを特徴としたものである。
【００１４】
第３の技術手段は、第２の技術手段において、動作状態制御手段は、当該コンテンツが音声のみのコンテンツあるいは音声主体のコンテンツであるかを、コンテンツ情報に含まれるジャンルに基づいて判定することを特徴としたものである。
【００１５】
第４の技術手段は、第１の技術手段において、ラジオ放送を受信するラジオチューナを備え、動作状態制御手段は、ラジオチューナ使用時に、表示装置が備えるバックライトへの電力供給を制限あるいは停止するように制御することを特徴としたものである。
【００１６】
第５の技術手段は、第１の技術手段において、コンテンツに含まれる映像を表示するかどうか設定するための映像表示設定手段を備え、動作状態制御手段は、映像表示設定手段により映像が非表示に設定された場合、表示装置が備えるバックライトへの電力供給を制限あるいは停止するように制御することを特徴としたものである。
【００１７】
第６の技術手段は、第２乃至第５のいずれか１の技術手段において、動作状態制御手段は、表示装置が備える液晶モジュールへの電力供給を制限あるいは停止するように制御することを特徴としたものである。
【００１８】
第７の技術手段は、第２乃至第６のいずれか１の技術手段において、動作状態制御手段は、外部機器の電源がオンされ且つ外部機器が動作していないと判定した場合、外部機器への電力供給が制限あるいは停止されるように制御することを特徴としたものである。
【００１９】
第８の技術手段は、第７の技術手段において、外部機器の電源をオフしてもよいか確認するためのメッセージをＯＳＤ表示するＯＳＤ処理手段を備え、動作状態制御手段は、ＯＳＤ処理手段により電源オフの確認があった場合、外部機器への電力供給が制限あるいは停止されるように制御することを特徴としたものである。
【００２０】
第９の技術手段は、第１乃至第８のいずれか１の技術手段において、外部機器は、映像・音声信号を再生する再生装置、映像・音声信号を録画する録画装置、１以上のスピーカと接続されたＡＶアンプのうちの１つ以上であることを特徴としたものである。
【００２１】
第１０の技術手段は、第１乃至第９のいずれか１の技術手段において、接続手段は、ＨＤＭＩ規格に準じた接続を行うためのＨＤＭＩ端子を備え、動作状態検出手段は、ＨＤＭＩ端子を介して、外部機器の動作状態を検出するためのＣＥＣコマンドを外部機器へ送信し、動作状態制御手段は、ＨＤＭＩ端子を介して、外部機器への電力供給を制限あるいは停止するためのＣＥＣコマンドを外部機器へ送信することを特徴としたものである。
【００２２】
第１１の技術手段は、第１乃至第１０のいずれか１の技術手段における表示装置と、表示装置のＨＤＭＩ端子に直接にまたは他の外部機器のＨＤＭＩ端子を介して間接に接続される１以上の外部機器とを備えたＡＶシステムであって、外部機器は、表示装置からの所定のＣＥＣコマンドにより、外部機器への電力供給が制限あるいは停止されるように制御されることを特徴としたものである。
【００２３】
第１２の技術手段は、映像信号を表示出力する表示装置と、コンテンツを録画・再生可能な録画装置とを備え、表示装置と録画装置がＨＤＭＩ接続されたＡＶシステムであって、録画装置は、コンテンツに関するコンテンツ情報を取得するコンテンツ情報取得手段と、表示装置と録画装置の動作状態を検出する動作状態検出手段と、コンテンツ情報取得手段により取得されるコンテンツ情報と動作状態検出手段による検出結果とに基づいて表示装置及び／又は録画装置の動作状態を制御する動作状態制御手段とを備え、動作状態制御手段は、表示装置の動作状態を制御するためのＣＥＣコマンドを送信することを特徴としたものである。
【発明の効果】
【００２４】
本発明によれば、ＡＶアンプやレコーダなどの外部機器と接続された表示装置において、ジャンルなどのコンテンツ情報と各機器の動作状態に基づいて、表示装置が備えるバックライトや、接続された外部機器への電力供給を制限あるいは停止するように制御できるため、ＡＶシステムを構成する各機器の消費電力を低減することができる。
【発明を実施するための最良の形態】
【００２５】
以下、添付図面を参照しながら、本発明の表示装置及び該表示装置を備えたＡＶシステムの好適な実施の形態について説明する。なお、本発明の実施形態においては、ＨＤＭＩ規格に含まれるＣＥＣ（Consumer Electronics Control）を代表例として使用するものとする
【００２６】
本発明の表示装置は、ＡＶアンプやレコーダなどの外部機器とＨＤＭＩケーブル，光音声ケーブルを介して接続され、ジャンルなどのコンテンツ情報から音声のみあるいは音声主体のコンテンツを判定し、その判定結果と各機器の動作状態に基づいて、表示装置が備えるバックライトや、外部機器への電力供給を個別に制御できるように構成される。表示装置と外部機器間のやりとりにはＣＥＣコマンドが用いられる。このＣＥＣは、ＨＤＭＩで規格化されている制御プロトコルであり、そのプロトコルに基づく制御信号であるＣＥＣコマンドが機器間でやりとりされる。
【００２７】
図１は、本発明の一実施形態に係るＡＶシステムの構成例を示す概念図である。図中、１０はレコーダ、２０はＡＶアンプ、３０はテレビ装置、４０はＨＤＭＩケーブル、５０は光音声ケーブルを示す。テレビ装置３０はＡＶアンプ２０とＨＤＭＩケーブル４０，光音声ケーブル５０を介して接続され、ＡＶアンプ２０はレコーダ１０とＨＤＭＩケーブル４０を介して接続される。なお、レコーダ１０及びＡＶアンプ２０は本発明の外部機器に相当し、テレビ装置３０は本発明の表示装置に相当する。
【００２８】
図２は、本実施形態に係るＡＶシステムの接続例を示す図である。本例において、表示装置であるテレビＡを１階層目に配置し、テレビＡに直接接続されている外部機器（ＡＶアンプ１，レコーダ１）を２階層目に配置し、３階層目以降についても同様に当該階層の外部機器に直接接続されている外部機器を次階層に配置してなるツリー構造のネットワークを構成する。このようなネットワーク構成において、テレビＡは、ネックワークを構成する特定の外部機器のアドレスを指定してＣＥＣコマンドを送信することができる。
【００２９】
ここで、ＣＥＣにおける論理アドレスと物理アドレスについて簡単に説明する。まず、論理アドレスは、ＨＤＭＩ  ＣＥＣにおける現在のバージョンの規格では、０〜１５まで扱えることになっており、ＨＤＭＩネットワーク内では唯一名となっている。この論理アドレスは外部機器の種類に応じて異なっている。
【００３０】
また、物理アドレスは、ＨＤＭＩネットワーク内では唯一名となっているが、外部機器がＨＤＭＩネットワークに追加されたり、切り離されたりすると自動的に調整される。物理アドレスは、５階層のアドレスを持ち、同一階層における唯一番号ｎから構成され、ｎ．ｎ．ｎ．ｎ形式で表現される。表示装置に直接接続された外部機器の階層を第１階層とした場合、この第１階層の機器に接続された外部機器が第２階層となり、表示装置から離れるに従って階層番号を増やしていく。そして、上記形式ｎ．ｎ．ｎ．ｎの左端のｎから右へ行くに従って階層番号が増えるように表記する。
【００３１】
例えば、表示装置はルートデバイスであり、“０．０．０．０”の物理アドレスを持つ。この表示装置に直接２台の外部機器が接続された場合には、１台目の外部機器の物理アドレスは、“１．０．０．０”、２台目の外部機器の物理アドレスは、“２．０．０．０”と表記する。そして、２台目の外部機器に３台の外部機器を接続すると、それぞれの物理アドレスは、“２．１．０．０”、“２．２．０．０”、“２．３．０．０”と表記する。
【００３２】
このような論理アドレスと物理アドレスを持つＣＥＣコマンドを使用することで、たとえ複数台の出力装置が接続されていても、特定の１台を指定してＣＥＣコマンドを送信することができる。
【００３３】
図２において、テレビＡのＨＤＭＩ入力とＡＶアンプ１のＨＤＭＩ出力をＨＤＭＩケーブル４０で接続し、テレビＡの光音声出力とＡＶアンプ１の光音声入力を光音声ケーブル５０で接続する。さらに、レコーダ２のＨＤＭＩ出力とＡＶアンプ１のＨＤＭＩ入力をＨＤＭＩケーブル４０で接続する。これにより、テレビＡとＡＶアンプ１とレコーダ２とが相互に認識可能な状態になる。これらテレビＡとＡＶアンプ１とレコーダ２（図中点線枠で囲まれた機器）で構成されるＡＶシステムの要部詳細例を後述の図３に示す。
【００３４】
なお、ＨＤＭＩケーブル４０は、デジタル信号である映像・音声信号を差動方式で伝送するためのＴＭＤＳ(Transition Minimized Differential Signaling)ライン（デジタル信号ライン）４１と、機器間で共通の制御信号（ＣＥＣコマンド）を伝送する双方向バスであるＣＥＣライン４２と含んでいる。またこの他、ＨＤＭＩケーブル４０には、ＥＤＩＤ（Extended Display Identification Data）の送信やＨＤＣＰ認証等に利用される図示しないＤＤＣラインが含まれる。
【００３５】
図３は、本発明が適用可能なＡＶシステムのＨＤＭＩ接続に係る要部構成例を説明するためのブロック図で、出力装置１０と、リピータ機器２０と、表示装置３０とが接続されている構成を示すものである。なお、出力装置１０は、例えばＨＤＭＩ出力端子を持つＤＶＤレコーダやＨＤＤレコーダ、ＤＶＤプレーヤ、Ｄ−ＶＨＳレコーダ、デジタルビデオカメラなどであり、リピータ機器２０は、ＨＤＭＩ入力端子と出力端子とをもつＡＶアンプなどであり、表示装置３０は、ＨＤＭＩ入力端子をもつ液晶テレビやモニタなどである。ＡＶアンプなどのリピータ機器２０が複数のＨＤＭＩ入力端子を持っていれば、複数の出力装置１０を接続することができ、ＡＶアンプのセレクタ機能によって入力ラインを切り替えることができる。
【００３６】
本発明に係る表示装置３０において、リピータ機器２０と出力装置１０の動作状態を検出し、リピータ機器２０と出力装置１０の動作状態を制御するために、ＣＥＣライン４２を介して転送されるＣＥＣコマンドが用いられる。上述のように、ＣＥＣはＨＤＭＩで規格化されている制御プロトコルであり、ＣＥＣコマンドはＣＥＣプロトコルに基づく制御信号である。そしてＣＥＣコマンドを用いて機器間で情報をやりとりすることにより、表示装置３０と接続機器との間で各種の動作制御を実現する。
【００３７】
以下、出力装置１０，リピータ機器２０，表示装置３０のＨＤＭＩ接続に係る要部構成について説明する。
出力装置１０は、ＨＤＭＩトランスミッタ１１、ＨＯＳＴ ＣＰＵ１２、フロントマイコン１３、ＣＥＣ Ｉ／Ｆ１４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン４１によってリピータ機器２０へ転送する。ＨＯＳＴ ＣＰＵ１２は、ＨＤＭＩコントローラを含み、ＨＤＭＩトランスミッタ１１の動作を制御する。
【００３８】
ＣＥＣ Ｉ／Ｆ１４は、ＨＤＭＩケーブル４０内のＣＥＣライン４２を接続し、リピータ機器２０との間でＣＥＣコマンドの双方向通信を可能とする。ＣＥＣ Ｉ／Ｆ１４の動作は、ＣＥＣコントローラを含むフロントマイコン１３により制御され、ＣＥＣコマンドによってＨＤＭＩ接続された機器を制御することができる。ＣＥＣの場合、ＨＤＭＩ接続された各機器の論理アドレス（機器の種別）と物理アドレス（機器の位置）が取得されるため、この論理アドレスと物理アドレスを指定することで所望の機器にＣＥＣコマンドを送信することができる。
【００３９】
ＨＯＳＴ ＣＰＵ１２は装置全体を制御する。またフロントマイコン１３は低電力で動作し、常にＣＥＣライン４２から転送されてくるＣＥＣコマンドを監視する。またリモコン装置があれば、そのリモコン信号の送信の有無を監視する。また装置のスタンバイモードなどによってＨＯＳＴ ＣＰＵ１２がダウンしているときも、フロントマイコン１３は動作している（少なくともＣＥＣコマンドの転送が可能な状態で動作する）。
【００４０】
リピータ機器２０は、ＨＤＭＩレシーバ２１、ＨＤＭＩトランスミッタ２２、ＨＯＳＴ ＣＰＵ２３、フロントマイコン２４、ＣＥＣ Ｉ／Ｆ２５、及び光音声受信部２６を備えている。リピータ機器２０は、出力装置１０から転送されたストリームをＨＤＭＩレシーバ２１で受信し、さらにＨＤＭＩトランスミッタ２２から送出して、表示装置３０に転送する。またＣＥＣ Ｉ／Ｆ２５によって、出力装置１０との間のＣＥＣライン４２と、表示装置３０との間のＣＥＣライン４２とを接続する。
【００４１】
光音声受信部２６は、表示装置３０の光音声送信部３５と光音声ケーブル５０を介して接続され、光音声送信部３５から送信されてくる音声信号を受信し、この音声信号をリピータ機器２０に接続された１つ以上のスピーカから出力する。
【００４２】
ＨＯＳＴ ＣＰＵ２３とフロントマイコン２４は、上述の出力装置１０と同様の機能を備え、ＨＯＳＴ ＣＰＵ２３は、ＨＤＭＩレシーバ２１とＨＤＭＩトランスミッタ２２とを制御するとともに装置全体を制御する。フロントマイコン２４はＣＥＣコントローラを含み、ＣＥＣライン４２から転送されてくるＣＥＣコマンドを監視する。
【００４３】
表示装置３０は、ＨＤＭＩレシーバを内蔵したＨＯＳＴ ＣＰＵ３１、モニターマイコン３２、ＣＥＣ Ｉ／Ｆ３３、受光部３４、及び光音声送信部３５を備えている。表示装置３０は、リピータ機器２０で転送されたストリームをＨＤＭＩレシーバ内蔵のＨＯＳＴ ＣＰＵ３１で受信する。ＨＤＭＩレシーバはＨＯＳＴ ＣＰＵ３１と分離された構成であってもよい。またＣＥＣ Ｉ／Ｆ３３によって、リピータ機器２０との間のＣＥＣライン４２が接続される。
【００４４】
光音声送信部３５は、リピータ機器２０の光音声受信部２６と光音声ケーブル５０を介して接続され、光音声送信部３５から光音声受信部２６へ音声信号を送信し、この音声信号をリピータ機器２０に接続された１つ以上のスピーカから出力させる。
【００４５】
ＨＯＳＴ ＣＰＵ３１は、ＨＤＭＩレシーバを内蔵し、また装置全体を制御している。またモニターマイコン３２は、ＣＥＣコントローラを含み、ＣＥＣライン４２から転送されてくるＣＥＣコマンドを監視する。モニターマイコン３２は、リモコン装置Ｒからのリモコン信号を受信する受光部３４を制御している。そして装置のスタンバイモードなどにおいてＨＯＳＴ ＣＰＵ３１がダウンしているときでも、モニターマイコン３２が動作し、ＣＥＣコマンドの送受信とリモコン信号の受信とが可能な状態に維持している。
【００４６】
図４は、本発明の表示装置３０をテレビ装置に適用したときの要部構成例を説明するためのブロック図である。図中、表示装置（以下テレビ装置）３０は、図３に示したリピータ機器（以下ＡＶアンプ）２０，出力装置（以下レコーダ）１０とＨＤＭＩ接続され、さらに、ＡＶアンプ２０と音声出力可能に接続される。
【００４７】
テレビ装置３０は、デジタルテレビ放送信号を選局して復調する内蔵チューナであるＴＶチューナ３０１と、デジタルラジオ放送信号を選局して復調するラジオチューナ３０２と、ネットワーク接続可能なネットワークチューナ３０３と、ＴＶチューナ３０１，ラジオチューナ３０２，ネットワークチューナ３０３のいずれかで復調した放送信号からＥＰＧデータの抽出や復調されたデータの分離を行うデマルチプレクサ３０４と、分離された放送信号の映像データ及び／又は音声データをデコードするデコーダ３０５とを備えている。
【００４８】
またテレビ装置３０は、システム全体の制御を行うシステム制御部３０６と、システム制御部３０６からのバスの使用要求を受けてバスの使用許可を与えるバス調停部３０７と、システム制御部３０６からの指示を受けて各種のＯＳＤ信号を生成・出力するＯＳＤ信号処理部３１３とを有している。バス調停部３０７は、一時に一つのバスの使用要求があったときはただちに使用許可を与え、一時に複数の使用要求があったときは、すなわちバスの使用要求が競合したときは、予めシステム制御部３０６等に定められている優先度に従ってバスの使用許可を与える。
【００４９】
テレビ装置３０には、音声信号を外部機器（ＡＶアンプ２０）へ送信する光音声送信部（光音声出力）３０８と、外部入力を受け付ける外部入力Ｉ／Ｆ（外部入力）３０９と、ＨＤＭＩ機器（レコーダ１０，ＡＶアンプ２０等）からの入力を受け付けるＨＤＭＩ入力Ｉ／Ｆ（ＨＤＭＩ入力１，ＨＤＭＩ入力２）３１０，３１１とが設けられる。ＨＤＭＩ用のＩ／Ｆとしては、前述したＨＤＭＩレシーバやＣＥＣ Ｉ／Ｆなどが備えられる。これらの外部入力，ＨＤＭＩ入力，チューナ入力を切り換えるために入力切換メニューが用意され、システム制御部３０６と接続されるメモリ３１８に保持される。メモリ３１８に保持される入力切換メニューはユーザ操作に従ってＯＳＤ信号処理部３１３からＯＳＤ表示され、ユーザ所望の入力に切り換えることができる。
【００５０】
なお、テレビ装置３０は、ＨＤＭＩ入力Ｉ／Ｆ３１０によりＡＶアンプ２０，レコーダ１０と接続され、各接続機器間でＣＥＣライン４２を介してＣＥＣコマンドの送受信を可能とし、また、光音声送信部３０８によりＡＶアンプ２０と接続され、ＡＶアンプ２０へ音声信号の送信を可能とする。
【００５１】
画像処理部３１２では、ノイズリダクション、スケーリングやＩＰ変換等の映像信号変換処理を適宜必要に応じて実施する。また画質強調補正処理やγ補正処理等の画質調整を適宜実施する。また画像信号変換処理において、各種の３次元画像処理を行うためにフレームメモリ３１５が使用される。デバイス駆動部３１４は、液晶パネル等の表示デバイス３１６を駆動制御して、画像処理部３１２から出力された映像信号及び／又はＯＳＤ信号処理部３１３から出力されたＯＳＤ信号を表示デバイス３１６に表示させる。表示デバイス３１６は、バックライト３１６ｂを含む液晶モジュール３１６ａを備える。
【００５２】
音声処理部３１９は、音声信号に対して所定の音声処理を実施した後にスピーカ３２０から音声出力させる。また、音声処理部３１９は、音声信号に対して所定の音声処理を実施した後に光音声送信部３０８からＡＶアンプ２０へ送信し、ＡＶアンプ２０が備えるスピーカから音声出力するようにしてもよい。
【００５３】
また、テレビ装置３０には、ユーザが操作するリモートコントローラ（以下リモコン）Ｒからの赤外線信号を受信する赤外線受光部３１７が設けられる。
【００５４】
システム制御部３０６は、本発明のコンテンツ情報取得手段３０６ａ、動作状態検出手段３０６ｂ、動作状態制御手段３０６ｃ、及び動作モード設定手段３０６ｄを備える。コンテンツ情報取得手段３０６ａは、デマルチプレクサ３０４を制御して、ＴＶチューナ３０１からの放送信号に含まれる番組情報あるいはラジオチューナ３０２からの放送信号に含まれる番組情報を取得する。この番組情報には、例えば、番組のジャンル、音声成分情報（モノラル、ステレオ、５．１ｃｈサラウンド等）などの情報が含まれる。
【００５５】
また、コンテンツ情報取得手段３０６ａは、レコーダ１０で再生されるＤＶＤやＣＤなどのコンテンツに関するコンテンツ情報を取得するようにしてもよい。これは、ＤＶＤやＣＤに格納されているコンテンツ情報（ジャンルなど）を取得したり、ネットワークチューナ３０３を内蔵することで、ＤＶＤやＣＤのタイトル名などをキーワードとして、ネットワーク上の特定のＷｅｂサイト（例えばミュージックストアなど）からコンテンツ情報を取得するようにしてもよい。
【００５６】
動作状態検出手段３０６ｂは、テレビ装置３０の動作状態を検出すると共に、ＣＥＣコマンドを使用して、ＨＤＭＩ入力Ｉ／Ｆ３１０を介して接続されたＡＶアンプ２０やレコーダ１０などの外部機器の動作状態を検出する。動作状態検出手段３０６ｂは、ＣＥＣコマンドを送信することにより、ＨＤＭＩ入力Ｉ／Ｆ３１０を介して接続された各外部機器（ＡＶアンプ２０，レコーダ１０）から、例えば、電源がオン（オフ）されているか、動作中か、などの動作の状態を示すステータス情報を取得する。また、動作状態検出手段３０６ｂは、ＣＥＣコマンドを送信したときに、各外部機器から「Ａｃｋ」が返ってきたかどうかを判定する。応答信号である「Ａｃｋ」が返ってくれば、その外部機器は接続されていると判断し、一方、「Ａｃｋ」が返ってこなければ、その外部機器は接続されていないと判断する。
【００５７】
動作状態制御手段３０６ｃは、番組情報取得手段３０６ａから取得したコンテンツ情報と、動作状態検出手段３０６ｂによる検出結果とに基づいてテレビ装置３０及び／又は外部機器（ＡＶアンプ２０，レコーダ１０）の動作状態を制御する。なお、テレビ装置３０が外部機器の動作状態を制御する場合、ＣＥＣコマンドを使用する。
【００５８】
具体的には、動作状態制御手段３０６ｃは、番組情報取得手段３０６ａにより取得されたコンテンツ情報に基づいて、当該コンテンツが音声のみのコンテンツあるいは音声主体のコンテンツであると判定した場合、テレビ装置３０が備えるバックライト３１６ｂへの電力供給を制限あるいは停止するように制御する。ここで、動作状態制御手段３０６ｃは、当該コンテンツが音声のみのコンテンツあるいは音声主体のコンテンツであるかを、コンテンツ情報に含まれるジャンルに基づいて判定するようにしてもよい。例えば、ジャンルが「スポーツ」，「映画・ドラマ」，「エンターティンメント」，「アニメ」などであれば、映像・音声の両方を主体とするコンテンツとし、一方、「音楽」，「ニュース」などであれば、音声主体のコンテンツとして判定する。これらのジャンル判定はユーザ設定あるいは工場出荷設定に基づいて予め決定しておき、メモリ３１８に記憶しておいてもよい。
【００５９】
例えば、コンテンツ情報取得手段３０６ａにより取得したコンテンツ情報から当該コンテンツのジャンルが「音楽」であって、動作状態検出手段３０６ｂの検出結果からバックライト３１６ｂが点灯中であった場合、動作状態制御手段３０６ｃは、音声再生のみを行うようにして、バックライト３１６ｂへの電力供給を制限あるいは停止するように制御する。さらに、バックライト３１６ｂ以外の液晶モジュール３１６ａへの電力供給を制限あるいは停止するようにしてもよい。
【００６０】
また、動作状態制御手段３０６ｃは、ラジオチューナ３０２を使用時には音声のみを再生すればよいため、上記と同様に、バックライト３１６ｂへの電力供給を制限あるいは停止するように制御する。この場合も、バックライト３１６ｂ以外の液晶モジュール３１６ａへの電力供給を制限あるいは停止するようにしてもよい。
【００６１】
また、レコーダ１０が例えば音楽ＣＤ再生機能やＭＰ３再生機能などの音楽再生機能を備える場合、レコーダ１０からの音声のみを出力すればよい。このため、動作状態検出手段３０６ｂがレコーダ１０により音楽再生中であることを検出した場合、動作状態制御手段３０６ｃは、バックライト３１６ｂへの電力供給を制限あるいは停止するように制御するようにしてもよい。この場合も、バックライト３１６ｂ以外の液晶モジュール３１６ａへの電力供給を制限あるいは停止するようにしてもよい。
【００６２】
また、システム制御部３０６は、コンテンツに含まれる映像を表示するかどうか設定するための本発明の映像表示設定手段に相当する動作モード設定手段３０６ｄを備える。この動作モード設定手段３０６ｄで映像が非表示に設定された場合、コンテンツのジャンルにかかわりなく、当該コンテンツの音声のみを再生し、上記と同様に、バックライト３１６ｂへの電力供給を制限あるいは停止するように制御する。この場合も、バックライト３１６ｂ以外の液晶モジュール３１６ａへの電力供給を制限あるいは停止するようにしてもよい。
【００６３】
図５は、動作モード設定手段３０６ｄにより設定されるジャンル別の動作モード設定テーブルの一例を示す図である。このジャンル別の動作モード設定テーブルは、コンテンツのジャンル名である「映画・ドラマ」，「音楽」，「ニュース」などに対して、映像表示するかどうか、アンプ出力するかどうかを設定することができる。このテーブルは、ユーザ設定あるいは工場出荷設定に基づいて動作モード設定手段３０６ｄにより作成され、メモリ３１８に記憶される。
【００６４】
図５に示す動作モード設定テーブルによれば、コンテンツのジャンルが「映画・ドラマ」の場合、映像表示が“○”、アンプ出力が“○”であるため、映像表示、アンプ出力ともに実行される。また、コンテンツのジャンルが「音楽」の場合、映像表示が“×”、アンプ出力が“○”であるため、映像表示せずに、音声のみがＡＶアンプ２０から出力される。また、コンテンツのジャンルが「ニュース」の場合、映像表示が“×”、アンプ出力が“×”であるため、映像表示、アンプ出力せずに、音声のみがテレビのスピーカ３１９から出力される。
【００６５】
動作状態制御手段３０６ｃは、この動作モード設定テーブルを参照し、バックライト３１６ｂ、液晶モジュール３１６ａ、及び外部機器（ＡＶアンプ２０，レコーダ１０）への電力供給を制限あるいは停止するように制御する。上記例において、ジャンルが「音楽」のコンテンツの場合、映像表示しないため、バックライト３１６ｂへの電力供給を制限あるいは停止するように制御する。ここではアンプ出力するため、ＡＶアンプ２０の電源はオンのままとし、レコーダ１０へＣＥＣコマンドを送信して、レコーダ１０への電力供給を制限あるいは停止するようにしてもよい。但し、レコーダ１０でＤＶＤあるいはＣＤを再生している場合、レコーダ１０が使用中であるため、レコーダ１０の電源はオンのままとする。
【００６６】
また、ジャンルが「ニュース」のコンテンツの場合、映像表示しないため、バックライト３１６ｂへの電力供給を制限あるいは停止するように制御する。さらにアンプ出力もしないため、ＡＶアンプ２０、レコーダ１０へＣＥＣコマンドを送信して、ＡＶアンプ２０、レコーダ１０への電力供給を制限あるいは停止するようにしてもよい。
【００６７】
このように、動作状態制御手段３０６ｃは、動作状態検出手段３０６ｂによる検出結果から、外部機器の電源がオンされ且つ外部機器が動作していないと判定した場合、外部機器の電源をオフするように制御してもよい。
【００６８】
コンテンツには、ニュース番組や、インタビューや朗読を中心とした番組のように臨場感が重視されないコンテンツも存在する。このようなコンテンツのジャンルに対して、図５に示す動作モード設定テーブルを用いて、アンプ出力を行うかどうかを予め設定しておく。すなわち、音声信号の出力先を内蔵のスピーカ３２０にするか、ＡＶアンプ２０が備えるスピーカにするかを設定する。アンプ出力を行わない場合、ＡＶアンプ２０は使用されないため、ＡＶアンプ２０の電源をオフする。同様に、レコーダ１０についても、電源がオンで使用されない場合、電源をオフするようにしてもよい。
【００６９】
外部機器の電源をオフする場合、本発明のＯＳＤ処理手段であるＯＳＤ信号処理部３１３から、外部機器の電源をオフしてもよいか確認するためのメッセージをＯＳＤ表示するようにしてもよい。この場合、動作状態制御手段３０６ｃは、このＯＳＤ表示に対して、ユーザから電源オフの確認があれば、外部機器への電力供給を制限あるいは停止するように制御し、一方、電源オフの確認がなければ、外部機器の電源をオンのままとする。
【００７０】
また、別の方法として、外部機器を含めたユーザの使用履歴をテレビ装置３０のメモリ３１８に記憶しておき、この使用履歴に基づいて外部機器電源のオン／オフを判定するようにしてもよい。例えば、外部機器が使用される頻度の高い時間帯である場合、一旦テレビ装置３０のバックライト３１６ｂと液晶モジュール３１６ａへ電力供給した後に、上記ＯＳＤ表示を行い、外部機器の電源をオフしてもよいかユーザに確認する。このように、外部機器の電源をオフする前に、ユーザに確認させることで、ユーザの知らぬ間に電源がオフされてしまうことがなく、ユーザを戸惑わせることがない。
【００７１】
上述のような構成とすることで、テレビ装置３０で期待される節電効果としては、バックライト３１６ｂへの電力供給を停止（非点灯）した場合、３７インチサイズ（ＷＸＧＡ）で１３２Ｗ程度、４５インチフルＨＤで２０４Ｗ程度であり、また、液晶モジュール３１６ａへの電力供給を停止した場合、３７インチサイズ（ＷＸＧＡ）で６Ｗ程度、４５インチフルＨＤで８．７６Ｗ程度である。なお、液晶モジュール３１６ａの消費電力にはバックライト３１６ｂの消費電力を含まないものとする。
【００７２】
さらに、ＨＤＭＩ／ＣＥＣコマンドを用いて、テレビ装置３０より外部機器であるレコーダ１０の電源が投入されているにもかかわらず、レコーダ１０が全く使用されていない場合には、レコーダ１０の電源をオフにしてもよい。これにより、レコーダ１０で期待される節電効果としては、５００ＧバイトのＨＤＤ内蔵デジタルハイビジョンレコーダの場合で４９〜５５Ｗ程度、２００〜２５０ＧバイトのＨＤＤ内蔵デジタルハイビジョンレコーダの場合で３６〜４７Ｗ程度である。
【００７３】
以上説明した実施形態では、テレビ装置３０が放送信号を受信し、その放送信号に含まれるコンテンツ情報（番組情報）を取得するか、あるいは、レコーダ１０で再生されるＤＶＤやＣＤのコンテンツに関するコンテンツ情報をネットワークを介して取得するようにしていたが、レコーダ１０が備えるＴＶチューナやネットワークチューナなどを使用してもよい。
【００７４】
すなわち、レコーダ１０が前述のコンテンツ情報取得手段３０６ａ、動作状態検出手段３０６ｂ、動作状態制御手段３０６ｃ、及び動作モード設定手段３０６ｄを備え、レコーダ１０がＴＶチューナにより放送信号を受信し、その放送信号に含まれるコンテンツ情報（番組情報）を取得する、あるいは、レコーダ１０で再生されるＤＶＤやＣＤのコンテンツに関するコンテンツ情報をネットワークを介して取得する。そして、コンテンツ情報に含まれるジャンルなどから、当該コンテンツが音声のみのコンテンツあるいは音声主体のコンテンツであると判定した場合、レコーダ１０からテレビ装置３０へＣＥＣコマンドを送信し、テレビ装置３０のバックライト、液晶モジュールへの電力供給を制限あるいは停止するように制御してもよい。この場合、音声信号はレコーダ１０からＨＤＭＩケーブルを介して送信され、テレビ装置３０のスピーカ３２０か、あるいは、ＡＶアンプ２０に接続されたスピーカから出力させる。
【００７５】
このように、レコーダ１０で音声主体のコンテンツを選局している場合、音声再生のみを行うようにして、レコーダ１０からの制御に基づいて、テレビ装置３０のバックライト３１６ｂの電源、さらには液晶モジュール３１６ａの電源を切断するようにしても良い。また、環境映像となるような場合には、バックライト３１６ｂの輝度を下げるように制御しても良い。これらの設定条件は、例えば、メーカからの工場出荷設定又はユーザ設定などにより予め設定しておくことが望ましい。
【００７６】
また、ＡＶアンプが表示部として液晶モジュール等を備えており、音声再生の設定条件によりテレビ装置３０あるいはレコーダ１０からの音声信号（音声出力信号）を再生する場合、テレビ装置３０あるいはレコーダ１０からのＣＥＣコマンドによる制御に基づいて、ＡＶアンプの液晶モジュールの電源を切断するように制御してもよい。
【００７７】
図６は、本発明のＡＶシステムにおける電力制御方法の一例を説明するためのフロー図である。本例は図４に示したテレビ装置３０とＡＶアンプ２０とレコーダ１０を接続したＡＶシステムに基づいて、放送信号に含まれる番組情報をコンテンツ情報として取得する例について説明する。
【００７８】
まず、テレビ装置３０とＡＶアンプ２０とレコーダ１０を接続し（ステップＳ１）、テレビ装置３０から番組出力するかどうかを判定する（ステップＳ２）。ここで、テレビ装置３０から番組出力する場合（ＹＥＳの場合）、テレビ装置３０が当該番組の番組情報を取得する（ステップＳ３）。また、テレビ装置３０から番組出力しない場合（ＮＯの場合）、レコーダ１０から番組出力するかどうかを判定する（ステップＳ４）。ここで、レコーダ１０から番組出力する場合（ＹＥＳの場合）、レコーダ１０が当該番組の番組情報を取得する（ステップＳ３）。また、レコーダ１０から番組出力しない場合（ＮＯの場合）、ステップＳ２に戻り処理を繰り返す。
【００７９】
次に、テレビ装置３０あるいはレコーダ１０は、放送信号から取得した番組情報に応じた動作モード（映像の表示／非表示、ＡＶアンプの使用／非使用など）を、図５に示した動作モード設定テーブルを参照することにより抽出する（ステップＳ５）。そして、テレビ装置３０あるいはレコーダ１０は、ユーザ好みの動作モードを設定するかどうかを判断する（ステップＳ６）。例えば、ユーザ操作に従って動作モード設定画面をＯＳＤ表示させ、ユーザからの設定変更があった場合、ユーザ好みの動作モードの設定有りと判断するようにしてもよい。
【００８０】
テレビ装置３０あるいはレコーダ１０は、ステップＳ６において、ユーザ好みの動作モードを設定すると判断した場合（ＹＥＳの場合）、ユーザ好みの動作モードを設定する（ステップＳ７）。また、ステップＳ６において、ユーザ好みの動作モードを設定しないと判断した場合（ＮＯの場合）、ステップＳ５で抽出した動作モードを設定する（ステップＳ８）。
【００８１】
次に、テレビ装置３０あるいはレコーダ１０は、映像が非表示で音声のみに設定されているかを判断し（ステップＳ９）、音声のみに設定されている場合（ＹＥＳの場合）、テレビ装置３０が備えるバックライト３１５ｂへの電力供給を制限あるいは停止するように制御する（ステップＳ１０）。また、ステップＳ９において、音声のみに設定されていない場合（ＮＯの場合）、ステップＳ１１へ移行する。
【００８２】
次に、テレビ装置３０あるいはレコーダ１０は、テレビ装置３０から番組出力するかどうかを判定し（ステップＳ１１）、テレビ装置３０から番組出力する場合（ＹＥＳの場合）、レコーダ１０の電源などの不要な電力供給を制限あるいは停止する（ステップＳ１２）。そして、テレビ装置３０あるいはレコーダ１０は、ＡＶアンプ２０またはテレビ本体のスピーカ３１９から音声出力する（ステップＳ１３）。また、ステップＳ１１において、テレビ装置３０から番組出力しない場合（ＮＯの場合）、レコーダ１０から番組出力し（ステップＳ１４）、テレビ装置３０のバックライト３１５ｂなどの不要な電力供給を制限あるいは停止し（ステップＳ１５）、ステップＳ１３に移行する。
【００８３】
以上説明したように、本発明によれば、ＡＶアンプやレコーダなどの外部機器と接続された表示装置において、ジャンルなどのコンテンツ情報と外部機器の動作状態に基づいて、表示装置が備えるバックライトや、接続された外部機器への電力供給を制限あるいは停止するように制御できるため、ＡＶシステムを構成する各機器の消費電力を低減することができる。
【００８４】
より具体的には、液晶テレビと、ＡＶアンプやレコーダなどの外部機器をＨＤＭＩケーブルと光音声ケーブルを介して接続し、ジャンルなどのコンテンツ情報から音声のみあるいは音声主体のコンテンツを判定し、その判定結果と外部機器の動作状態に基づいて、液晶テレビが備えるバックライトや、外部機器の電源を個別に制御することにより、ＡＶシステムにおける動作電力の大半を占めるこれらの部分で消費電力の低減を図ることができる。
【００８５】
また、ＡＶシステムを構成する各接続機器に対して、テレビ側から省エネ設定を行うことができるため、従来は接続機器それぞれに行う必要があった省エネ設定作業を省略できる。また、ＨＤＭＩ接続を利用することで接続機器間の配線も簡略化できると共に、各接続機器の電源管理をきめ細かに行うことが可能となる。
【図面の簡単な説明】
【００８６】
【図１】本発明の一実施形態に係るＡＶシステムの構成例を示す概念図である。
【図２】本実施形態に係るＡＶシステムの接続例を示す図である。
【図３】本発明が適用可能なＡＶシステムのＨＤＭＩ接続に係る要部構成例を説明するためのブロック図である。
【図４】本発明の表示装置をテレビ装置に適用したときの要部構成例を説明するためのブロック図である。
【図５】動作モード設定手段により設定されるジャンル別の動作モード設定テーブルの一例を示す図である。
【図６】本発明のＡＶシステムにおける電力制御方法の一例を説明するためのフロー図である。
【符号の説明】
【００８７】
１０…出力装置（レコーダ）、１１，２２…ＨＤＭＩトランスミッタ、１２，２３，３１…ＨＯＳＴ ＣＰＵ、１３，２４…フロント マイコン、１４，２５，３３…ＣＥＣ Ｉ／Ｆ、２０…リピータ機器（ＡＶアンプ）、２１…ＨＤＭＩレシーバ、２６…光音声受信部、３０…表示装置（テレビ装置）、３２…モニターマイコン、３４…受光部、３５…光音声送信部、４０…ＨＤＭＩケーブル、４１…ＴＭＤＳライン、４２…ＣＥＣライン、５０…光音声ケーブル、３０１…ＴＶチューナ、３０２…ラジオチューナ、３０３…ネットワークチューナ、３０４…デマルチプレクサ、３０５…デコーダ、３０６…システム制御部、３０６ａ…コンテンツ情報取得手段、３０６ｂ…動作状態検出手段、３０６ｃ…動作状態制御手段、３０６ｄ…動作モード設定手段、３０７…バス調停部、３０８…光音声出力（光音声送信部）、３０９…外部入力、３１０，３１１…ＨＤＭＩ入力、３１２…画像処理部、３１３…ＯＳＤ信号処理部、３１４…デバイス駆動部、３１５…フレームメモリ、３１６…表示デバイス、３１６ａ…液晶モジュール、３１６ｂ…バックライト、３１７…赤外線受光部、３１８…メモリ、３１９…音声処理部、３２０…スピーカ。
【図１】
2008145679.tif 000003
【図２】
2008145679.tif 000004
【図３】
2008145679.tif 000005
【図４】
2008145679.tif 000006
【図５】
2008145679.tif 000007
【図６】
2008145679.tif 000008